(57)【要約】【課題】  上記操作者の負担を少しでも軽減するため、被検者の動きが制限されなくてはならない撮像中において、被検者の状態監視を補助するMRI装置を提供する。【解決手段】  MRI装置において、前記被検者の状態を監視するための画像データを取得して出力する画像出力手段と、前記画像出力手段からの画像データを記録する記憶手段と、前記記憶手段に記憶されている画像データの輪郭画像を生成する輪郭画像生成手段と、前記輪郭画像生成手段により生成された任意の撮像中のタイミングにおける第1の輪郭画像と、前記輪郭画像生成手段により生成された前記磁気共鳴イメージングを始めたタイミングにおける第2の輪郭画像を比較する比較手段とを備え、前記制御手段はその比較のマッチング係数が所定の閾値より大きい場合に、前記制御手段は警告メッセージを前記表示手段へ表示する。【選択図】          図3
2017104369.tif 000002
【特許請求の範囲】
【請求項１】
被検者を収容する空間に均一な静磁場を発生させる静磁場発生手段と、前記静磁場は重畳して傾斜磁場を発生させる傾斜磁場発生手段と、前記被検者へ照射する照射する高周波磁場を発生する高周波コイルと、前記被検者から発生するＮＭＲ信号を検出する手段と、前記検出された信号を画像化する手段と、該画像化された画像を表示する表示手段と、前記各手段を制御する制御手段と、前記被検者の状態を監視するための画像データを取得して出力する画像出力手段と、前記画像出力手段からの画像データを記録する記憶手段と、前記記憶手段に記憶されている画像データの輪郭画像を生成する輪郭画像生成手段と、前記輪郭画像生成手段により生成された任意の撮像中のタイミングにおける第１の輪郭画像と、前記輪郭画像生成手段により生成された前記磁気共鳴イメージングを始めたタイミングにおける第２の輪郭画像を比較する比較手段とを備え、前記制御手段はその比較のマッチング係数が所定の閾値より大きい場合に、前記制御手段は警告メッセージを前記表示手段へ表示することを特徴とする磁気共鳴イメージング装置。
【請求項２】
前記マッチング係数が所定の閾値より大きい場合は、テーブルによる移動であるものである場合は、前記警告メッセージを表示しないことを特徴とする請求項１記載の磁気共鳴イメージング装置。
【発明の詳細な説明】
【技術分野】
【０００１】
本発明は、磁気共鳴イメージング(以下、「MRI」という)装置に関し、特に、撮影中の被検体の状態を容易に監視することが可能なMRI装置に関する。
【背景技術】
【０００２】
MRI装置は、特に人体の組織を構成する原子核スピンが発生するNMR信号を計測し、その頭部、腹部、四肢等の形態や機能を2次元的にあるいは3次元的に画像化する装置である。撮像においては、NMR信号には、傾斜磁場によって異なる位相エンコードが付与されるとともに、周波数エンコードされて、時系列データとして計測される。計測されたNMR信号は、2次元又は3次元フーリエ変換されることにより画像に再構成される。
【０００３】
MRI装置は通常撮像室に配置され、操作室にあるコンソールから操作される。そして被検者を監視する目的のため、カメラが撮像室内に設置されていることが多い(例えば、特許文献1参照)。そして、操作者は撮像中、MRI装置を操作しながら、被検体をカメラを用いて監視している。撮像中に被検者が動くと、MRI画像を乱す原因となり、被検者が大きく動いた場合には、非常事態の可能性があるからである。
【先行技術文献】
【特許文献】
【０００４】
【特許文献１】特開2004-208954号公報
【発明の概要】
【発明が解決しようとする課題】
【０００５】
しかしながら、特許文献1記載の従来技術では、カメラを用いたMRI装置自体に、被検者の動作検知を補助する機能は付与されていない。
【０００６】
そこで、本発明の目的は、上記操作者の負担を少しでも軽減するため、被検者の動きが制限されなくてはならない撮像中において、被検者の状態監視を補助するMRI装置を提案する。具体的には、被検者が動き等して被検者の状態が変化した場合に、その時刻をtとし、tを含む前x秒間(任意の時間)の映像データを作成する。そして、状態が変化したことを通知するとともに、映像データをコンソール画面上に表示するものである。
【課題を解決するための手段】
【０００７】
上記課題を解決するために、本発明によれば、被検者を収容する空間に均一な静磁場を発生させる静磁場発生手段と、前記静磁場は重畳して傾斜磁場を発生させる傾斜磁場発生手段と、前記被検者へ照射する照射する高周波磁場を発生する高周波コイルと、前記被検者から発生するNMR信号を検出する手段と、前記検出された信号を画像化する手段と、該画像化された画像を表示する表示手段と、前記各手段を制御する制御手段と、前記被検者の状態を監視するための画像データを取得して出力する画像出力手段と、前記画像出力手段からの画像データを記録する記憶手段と、前記記憶手段に記憶されている画像データの輪郭画像を生成する輪郭画像生成手段と、前記輪郭画像生成手段により生成された任意の撮像中のタイミングにおける第1の輪郭画像と、前記輪郭画像生成手段により生成された前記磁気共鳴イメージングを始めたタイミングにおける第2の輪郭画像を比較する比較手段とを備え、前記制御手段はその比較のマッチング係数が所定の閾値より大きい場合に、前記制御手段は警告メッセージを前記表示手段へ表示するMRI装置が提供される。
【発明の効果】
【０００８】
本発明によれば、MRI撮像中における被検者の状態の変化を検知する機能を備えたMRI装置を提供できる。
【図面の簡単な説明】
【０００９】
【図１】本発明の全体構成を説明するための図
【図２】表示部における状態変化時の通知例を示す図
【図３】実施例1の動作を説明するためのフローチャート
【図４】実施例2の動作を説明するためのフローチャート
【発明を実施するための形態】
【００１０】
次に、本発明の実施例1を図1〜図3を用いて説明する。
【００１１】
図1は、実施例1に係るMRI装置の全体構成である。図1において、100は被検体であり、天板に上に横たわらされている。1、2は、画像出力手段(例えばカメラ)であり、ガントリ開口部3とガントリ開口部4にそれぞれ配置されている。5、6は、画像出力手段1、2により得られた通信信号を光信号に変換する信号変換部、7は、信号変換部7で得られた光信号を中継し、撮像室13から操作室14へ送信する中継部、8は、中継部7から送られてきた画像データを記録する記憶部A、9は、憶部Aから画像データを取り出し演算処理を行う演算部、10は、演算部による演算結果を記憶する記憶部B、11は記憶部Bの画像データを逐次比較する比較部、12は、被検者の状態および状態の変化を操作者に通知する表示部である。操作者への通知のためには、光及び音を使用する。
【００１２】
次に図2(a)は、上記状態の変化を検出していない時の表示部を表した図、図2(b)は、上記状態の変化を検出した時の表示部を表した図である。図2のように、上記状態の変化を検出していない時は、画面右下にあるタイミングの画像データが表示されているのみであるが、状態の変化を検出した時は、2つのタイミングの画像データが表示され、警告メッセージも表示されていることがわかる。
【００１３】
次に、実施例1における動作について、図3のフローチャートを用いて説明する。ただし、本実施例は取得した画像データを用いて、被検者の状態の変化を操作者が把握することを補助する機能の例である。
【００１４】
(スタート)
操作者はMRI装置の電源をONするとともに、画像出力手段の電源もONする。
【００１５】
(ステップS01)
まだMRI装置の撮像が開始されていない場合、画像出力手段1、2は、撮像対象範囲の画像データを(時刻t：以下、t)を取得し続ける。
【００１６】
(ステップS02)
記録部A(9)は、撮像対象範囲の画像データを(時刻t：以下、t)を保存する。
【００１７】
(ステップS03)
表示部12は、記憶部A(9)に記憶されている画像データを表示し続ける。
【００１８】
(ステップS04)
M  RI装置は、撮像を開始したタイミングかを判断する。撮像が開始されたタイミングの場合はステップS05へ、撮像が開始されたタイミングでない場合は、ステップS07へ移行する。
【００１９】
(ステップS05)
MRI装置は、被検者の動きを検出するための係数(以下、マッチング係数)の閾値を設定する。
【００２０】
(ステップS06)
MRI装置は、記録部B(11)に記憶されているデータをリセットする。
【００２１】
(ステップS07)
MRI装置は、撮像中であるかを判断する。撮像中でなければ、ステップS01へ、撮像中であればステップS08へ移行する。
【００２２】
(ステップS08)
MRI装置は、表示部12に、警告メッセージが表示されているかを判断する。警告メッセージが表示されていれば、ステップS01へ、警告メッセージが表示されていなければ、ステップS09へ移行する。
【００２３】
(ステップS09)
記憶部A(9)から、演算部9へ、画像データを出力する。
【００２４】
(ステップS10)
演算部9は、輪郭画像(t)を作成する。
【００２５】
(ステップS11)
記憶部Bに撮像を始めた時に輪郭画像(t0)があるかを判断する。撮像を始めた時に輪郭画像(t0)がある場合は、ステップS12へ、撮像を始めた時の輪郭画像(t0)がない場合は、ステップS14へ移行する。
【００２６】
(ステップS12)
演算部9は、輪郭画像(t)と輪郭画像(t0)を比較する。
【００２７】
(ステップS13)
演算部9は、輪郭画像(t)と輪郭画像(t0)のマッチング係数を算出する。
【００２８】
(ステップS14)
MRI装置は、記録部B(11)に、撮像を始めた時に輪郭画像(t0)を記憶し、ステップS01へ移行する。
【００２９】
(ステップS15)
演算部9は、ステップS13で求められたマッチング係数が閾値を超えたかを判断する。閾値を超えていない場合は、ステップS01へ移行する。閾値を超えている場合は、ステップS16へ移行する。
【００３０】
(ステップS16)
演算部時刻t−xから時刻tまでのx秒間の映像を記録部B(11)へ保存し、映像データを作成する。
【００３１】
(ステップS17)
表示部12は、警告メッセージとともに、作成した映像データを表示する。
【００３２】
(ステップS18)
記録部B(11)の輪郭画像(t0)をリセットする。操作者が前記警告メッセージ及び映像データを確認し、対策を施すまで状態変化の通知機能は休止状態になる。操作者が対策(被検者を所定の位置に誘導する等)を施し、表示部の映像データ、通知を解除すると、状態変化の通知機能の休止状態も解除する。
【００３３】
上記実施例1によれば、被検者の動作をリアルタイムで監視することが可能である。
【００３４】
被検者の状態の変化を操作者が監視することが可能となる。特に、被検者の状態の変化を操作者が把握する補助を可能とし、再撮像実行判断の前倒しにより、検査時間の短縮化を図ることが可能となる。また、非常事態の把握も容易となる。
【００３５】
本発明の実施例2の動作を図4のフローチャートを用いて説明する。図4において、実施例1と異なる点は、ステップ08の後に、テーブルの移動かを検知するステップ08Aがあることである。
【００３６】
本実施例によれば、テーブルの移動があった場合に、警告メッセージの通知を除外することができる点である。
【図１】
2017104369.tif 000003
【図２】
2017104369.tif 000004
【図３】
2017104369.tif 000005
【図４】
2017104369.tif 000006